(57)【特許請求の範囲】
【請求項１】
遊技球を打ち出す発射装置と、
前記発射装置から打ち出された遊技球を遊技盤の遊技領域へと導くレール部材と、
前記レール部材の先端部に取り付けられた取付部と、それぞれ前記取付部よりも上方に開放端を有すると共に該開放端が前後方向に対向した第１及び第２の片部とを備えた球戻り抑止部材と
を備え、
前記第１及び第２の片部の間の間隙は、前記開放端側から前記取付部側へ向けて漸次狭くなり、
前記第１及び第２の片部はそれぞれ別部材であって錘を備え、
当該錘は一部品で構成されている、弾球遊技機。
【請求項２】
遊技球を打ち出す発射装置と、
前記発射装置から打ち出された遊技球を遊技盤の遊技領域へと導くレール部材と、
前記レール部材の先端部に取り付けられた取付部と、それぞれ前記取付部よりも上方に開放端を有すると共に該開放端が前後方向に対向した第１及び第２の片部とを備えた球戻り抑止部材と
を備え、
前記第１及び第２の片部の間の間隙は、前記開放端側から前記取付部側へ向けて漸次狭くなり、
前記第１及び第２の片部はそれぞれ別部材であり、かつ、それぞれが独立した回転軸部を備えている、弾球遊技機。
【請求項３】
前記球戻り抑止部材は、
前記第１及び第２の片部の前記開放端部よりも前記取付部側に備えられた溝部と、
前記第１及び第２の片部の厚み方向で前記溝部と重なる板部材と、を更に備え、
前記第１及第２の片部の間の間隙は、前記開放端から前記溝部へ向けて漸次狭くなる、請求項１又は請求項２記載の弾球遊技機。
【発明の詳細な説明】
【技術分野】
【０００１】
弾球遊技機に関する。
【背景技術】
【０００２】
パチンコ機等の遊技機においては、弾球された遊技球が遊技領域（遊技盤面上又はその近傍の領域であって、例えば入賞口等を有し、遊技球の流下による遊技や演出を実現するための領域。）を流下して、その流下の過程で遊技球が遊技領域内の遊技釘や風車に衝突しつつ転回して流下方向が変化する。その結果、遊技領域上に配置された各種入賞口に遊技球が入賞すれば所定の賞球の払出しがされ、一方いずれの入賞口にも入賞せずアウト口に遊技球が流入すれば賞球の払出しはされない。遊技者は、弾球における自らの技量を発揮して、又は遊技球の流下における偶然性を利用しつつ遊技球の入賞及び賞球の払出しを期待し、遊技を楽しむのである。
【０００３】
ここで、例えば、特許文献１には、針金等の不正器具を用いて球払出装置から不正に球を払い出させるような不正行為を防止するために、パチンコ球が流下する球通路に、この球通路を流下するパチンコ球によって可動すると共に、常に係止部に係止して球通路を閉鎖する閉鎖板を設けたパチンコ機が開示されている。
【先行技術文献】
【特許文献】
【０００４】
【特許文献１】特開２００１−２１８９４９号公報
【発明の概要】
【発明が解決しようとする課題】
【０００５】
ところで、近年、多量の賞球を獲得するために様々な不正行為が行われている。例えば、発射する遊技球に糸をくくりつけて発射する、いわゆる糸吊りゴトと呼ばれる不正行為がある。糸吊りゴトでは、糸を手で操作することによって遊技球を入賞口に不正に誘導する。更に、糸を操作することによって入賞口内部の入賞センサに対して１つの遊技球を繰り返し出し入れし、あたかも多数の遊技球が入賞したかのように誤検出させて多数の賞球を不正に獲得する。また、糸吊りゴトでは、糸吊り遊技球を足がかりに後続の遊技球を利用して、各種入賞口やワープ通路等への導入路を形成するような不正行為も見受けられる。
【０００６】
このような不正行為を防止するためには、遊技球に取付けられた吊り糸を不正行為者が自由に操作できないように、その吊り糸の可動領域を制限することが重要である。
【０００７】
しかしながら、現時点では、糸吊り遊技球を使用した不正行為を抑止する有効な対策が行われていない。遊技領域に侵入した糸吊り遊技球を、不正行為者による自由な操作を困難にしたり、糸を切断したりする方策があれば、糸吊り遊技球による不正行為を有効に抑止することができる。
【０００８】
本願発明は、上記事情に鑑みたものであり、糸吊り遊技球による不正行為を抑制するための弾球遊技機を提供することを課題とする。
【課題を解決するための手段】
【０００９】
上記の課題を解決するために、本発明の例示的側面としての弾球遊技機は、遊技球を打ち出す発射装置と、発射装置から打ち出された遊技球を遊技盤の遊技領域へと導くレール部材と、レール部材の先端部に取り付けられた取付部と、それぞれ取付部よりも上方に開放端を有すると共に開放端が前後方向に対向した第１及び第２の片部とを備えた球戻り抑止部材と、を備え、第１及び第２の片部の間の間隙は、開放端側から取付部側へ向けて漸次狭くなる。
【発明の効果】
【００１０】
本発明によれば、糸吊り遊技球による不正行為を抑制するための弾球遊技機を提供することができる。
【図面の簡単な説明】
【００１１】
【図１】実施形態１に係る遊技機としてのパチンコ機の正面図である。
【図２】図１に示すパチンコ機の背面図である。
【図３】図１に示すパチンコ機の左側の内部を示す正面図である。
【図４】実施形態１に係る球戻り抑止部材の上面図及び正面図である。
【図５】実施形態１に係る球戻り抑止部材の分解斜視図である。
【図６】実施形態１に係る球戻り抑止部材の動作を説明するための図である。
【図７】実施形態１に係る球戻り抑止部材の作用を説明するための図である。
【図８】実施形態２に係る球戻り抑止部材の斜視図である。
【図９】実施形態２に係る球戻り抑止部材の正面図及び断面図である。
【図１０】実施形態２に係る球戻り抑止部材の作用を説明するための図である。
【図１１】実施形態３に係る球戻り抑止部材の正面図及び断面図である。
【実施するための形態】
【００１２】
［実施形態１］
以下、本発明の実施形態１について図面を用いて説明する。図１は、本発明の実施形態１に係る電子回路基板を有する弾球遊技機としてのパチンコ機２の正面図であり、図２は、図１に示すパチンコ機２の背面図であり、図３は図１に示すパチンコ機２の左側の内部を示す正面図である。このパチンコ機２は、遊技機枠３、遊技盤ユニット５、ガラス１０、発射ユニット（発射装置）４５、球皿（貯留皿）１４を有している。発射ユニット４５は、遊技盤ユニット５に構成される遊技領域１６に向けて１球ずつ遊技球（遊技媒体）２３が発射可能とされている。
【００１３】
パチンコ機２は、遊技者が後述する発射装置ハンドル１５を操作することによって、遊技領域１６に向けて遊技球が発射ユニット４５によって発射され、遊技球の流下による遊技が実現される。なお、遊技機は、パチンコ機２の他にパチンコ式スロットマシン機、コインゲーム機等のアーケードマシン、各種ゲーム機を概念することができ、要するに、遊技媒体の流下による遊技を実現する遊技領域を有するあらゆる遊技機が含まれる。
【００１４】
また、遊技機がパチンコ機である場合には、遊技媒体は遊技球（パチンコ球）であるが、遊技媒体としては、遊技球に限定されない。遊技機の種類によっては、遊技領域を流下する、例えば、コイン、メダル、ボール等種々の遊技媒体を概念することができる。
【００１５】
なお、パチンコ機においても、アレンジボール機、雀球機等の組合せ式パチンコ機、いわゆるデジパチタイプ（１種タイプ）やハネモノタイプ（２種タイプ）のパチンコ機等のあらゆるパチンコ機が概念できるが、本実施形態１においては、デジパチ遊技（１種遊技、図柄変動遊技ともいう。）を実現するいわゆる１種タイプのパチンコ機について例示説明する。なお、図柄変動遊技については後述する。
【００１６】
本願においては、一般的な方向の定義として、パチンコ機を正面（遊技者側）から見た場合における方向で上下左右方向を定義する。また、遊技者からパチンコ機に向かう方向を後方、パチンコ機から遊技者に向かう方向を前方と定義する。部材やユニット等の詳細部分については、個別に別方向の名称を用いる場合もある。
【００１７】
また、遊技球２３が遊技領域１６を流下する場合、原則として流下方向（下方）が下流側であり、逆方向（上方）が上流側となるが、下流、上流の概念は上下に限定されず、あくまで遊技球の流下する方向を下流側と定義する。
【００１８】
パチンコ機２の遊技機枠３は、後述する遊技盤ユニット５を保持するためのもので、このパチンコ機２の周囲側面及び前方又はそれに加えて後方を囲むように構成される。遊技機枠３の内部側には、遊技盤ユニット５の他にも後述する各種制御基板や遊技媒体用の経路等各種機構部品が配置され、遊技機枠３によって周囲側面及び前方又はそれに加えて後方からのパチンコ機２内部側への不正アクセスが防止されるようになっている。
【００１９】
パチンコ機２の周囲を囲む外枠４、その内側にヒンジ２２によって前方開閉可能に揺動支持されて遊技盤ユニット５を保持する前枠９、前枠９の前方にヒンジ２２によって前方開閉可能に揺動支持されガラス１０及びその周囲を装飾する装飾部材３２を保持するガラス枠１２、を有して遊技機枠３が構成される。なお、ガラス１０は、遊技機枠３内部側に保持された遊技盤６を前方から遊技者が視認することができるようにするための透明部材である。遊技機枠３は、遊技盤ユニット５を保持する前枠９と、後述する主制御基板ケース（基板ケース）３５と、を備えている。
【００２０】
ガラス１０は、遊技盤６に対して一定距離以上離間して配置された透明板である。ガラス１０は、２枚の透明平板ガラスで形成されてガラス枠１２の裏面側に保持され、遊技盤６との間に遊技球２３が流下する流下空間を形成する機能、遊技者がガラス１０を通して遊技盤６を視認できるように視認性を確保する機能、遊技者が遊技盤６に不正にアクセス（接触）できないようにする不正アクセス防止機能、を発揮する。
【００２１】
球皿１４は、遊技者の持ち球を貯留するためにパチンコ機２の前面に配置された皿部材であって、本実施形態１においては上球皿１４ａと下球皿１４ｂとを有している。上球皿１４ａは、球抜き部材１４ｃを有して遊技盤６の下方、すなわちガラス枠１２の下方部分に配置され、下球皿１４ｂは、その上球皿１４ａの更に下方に配置されている。
【００２２】
発射ユニット４５は、球送り装置（不図示）によって球皿１４の一部としての上球皿１４ａから発射位置に送り出された遊技球２３を遊技領域１６の上部に向けて発射（弾球）するためのものである。発射ユニット４５は、例えば発射位置の遊技球２３を弾球する発射杆、その発射杆を駆動する発射モータ、発射杆を付勢して弾球力を発生させる発射バネ等を有してユニット構成され、前枠９に取付けられている。その発射ユニット４５による球発射のため、遊技者の操作に基づいて球発射のオンオフ及びその発射強度調整を実現する発射装置ハンドル１５がパチンコ機２の前面下方に設けられている。
【００２３】
遊技盤ユニット５は、遊技盤面６ａ側の略中央に遊技役物としてのセンター役物７が配置された遊技盤６を有しており、その遊技盤面６ａには多数の遊技釘２７も配置されている。センター役物７の中央部には、画像表示手段としての演出表示装置７ａが配置されると共に、この演出表示装置７ａの表示部７ｂを露出させるための表示開口部７ｄが形成されている。
【００２４】
遊技盤６は、その表面側に遊技球２３の流下による遊技を実現するための遊技領域１６を構成するための盤状部材であり、遊技盤６を前方から遊技者にとって視認可能となるように遊技機枠３（本実施形態１においては、遊技機枠３の一部としての前枠９。）に保持されている。その遊技盤６の表面には略円形状に周囲を囲むようにレール飾り２６が取付けられており、レール飾り２６の外レール２６ａが遊技盤６に対して立設するように配置されている。そして、レール飾り２６の外レール２６ａによって画定され、外レール２６ａに面した略円形状の領域が遊技領域１６となっている。
【００２５】
遊技釘２７は、遊技領域１６を流下する遊技球２３と衝突してその流下方向を変更させる流下変更部材であり、遊技領域１６内に多数配置されている。また、遊技領域１６には、普通入賞口２８、始動入賞口２９、大入賞口３１等の入球部材及びアウト口３０が配置されている。更に、遊技領域１６には、ゲート３３、風車２５等が配置されており、流下する遊技球２３が各入球部材に流入したり、ゲート３３を通過したり、風車２５を回転させたりすることによって、遊技球２３による流下遊技を楽しむことができるようになっている。
【００２６】
センター役物７は、演出表示装置７ａの周囲を覆うように構成されており、図柄変動遊技（１種遊技）を実現するものである。センター役物７の上部には、図柄表示手段としての第１図柄（特別図柄）表示装置１７が配置されると共に、センター役物７の中央部には、演出表示装置７ａが配置されている。
【００２７】
第１図柄（特別図柄）表示装置１７には、抽選手段の抽選結果である第１図柄の変動が表示される。第１図柄は、始動入賞口２９への遊技球２３の入球を契機として実行される第１抽選の結果に対応した図柄である。第１図柄の変動表示が所定の当選態様で停止することにより第１特別遊技としての大当りが発生する。
【００２８】
演出表示装置７ａは、例えば、液晶表示装置・有機ＥＬディスプレイ・ＬＥＤ等により構成されて遊技者が遊技盤面６ａ側から視認可能となるように配置され、その表示部７ｂ上に映像表示を行うものである。この演出表示装置７ａの表示部７ｂには、第１図柄に連動する第１装飾図柄の表示がなされる。第１装飾図柄は、第１抽選手段の抽選結果を視覚的に演出するための図柄であり、第１の遊技に対応する。また、例えば、キャラクター等によるストーリー仕立ての映像としての演出映像も表示部７ｂ上に表示されるようになっている。演出表示装置７ａには、遊技制御手段としての演出制御基板が中継基板を介して電気的に接続されており、演出制御基板によって画像表示が制御される。
【００２９】
図２に示すように遊技盤６の裏面側には、パチンコ機２の全体の制御を行う電子回路基板としての主制御基板３４を内包する主制御基板ケース３５と、演出表示装置７ａの画像表示等演出の制御等を行う演出制御基板（図示せず）を収容した演出制御基板ケース３６と、賞球の払出しを制御する払出制御基板（図示せず）を収容した払出制御基板ケース３７と、電源基板（図示せず）を収容した電源基板ケース３８と、が配置されている。この各制御基板ケースに収容された各制御基板によって遊技が実現される。更に、遊技盤６の裏面側には、パチンコ機２の遊技状態等の遊技情報を外部に出力するための外部出力端子板３９が設けられている。
【００３０】
発射ユニット４５により遊技球２３が発射されると、遊技球２３はレール飾り２６の外レール２６ａに沿いつつ進行して遊技領域１６内の上部に至る。その後、遊技球２３は、複数の通過軌跡に沿って移動し、あるものはレール飾り２６の外レール２６ａに沿って右側に移動し、あるものは遊技釘２７に衝突しつつ遊技領域１６内を下方に流下し、あるものは普通入賞口２８に流入して一定数の賞球の払出し契機となり、あるものはいずれの入球装置にも流入せずに遊技領域１６内最下部に位置するアウト口３０に流入してアウト球としてパチンコ機２の外部側へと排出される。
【００３１】
図柄変動遊技中に遊技球２３が始動入賞口２９に流入すると、その流入に起因して演出表示装置７ａの表示図柄７ｃが回転表示（第１の特別遊技の抽選）を開始し、その表示図柄７ｃが所定の図柄（例えば、「７・７・７」。）で停止表示すれば、図柄変動遊技における大当り（第１の特別遊技。以下、図柄変動大当りという。）が発生する。そして、大入賞口３１が開放して多量の入賞球を受け入れ、多量の賞球が球皿１４へと払い出されるようになっている。
【００３２】
図３は、本実施形態１に係る球戻り抑止部材５１が配置される位置、及び発射装置である発射ユニット４５が配置される位置を説明するための図である。球戻り抑止部材５１は開放端５１０側に可動片５１１を備え、内レール４０の先端部に取付けられた球戻り抑止ユニット５０内に可動的に保持されている。球戻り抑止部材５１は、遊技球発射領域１９から遊技領域１６へ向けて発射される遊技球２３を遊技球発射領域１９から遊技領域１６へ進入させるとともに、遊技領域１６に進入した遊技球２３が遊技盤面６ａに配置された遊技釘２７等に衝突して、再び遊技球発射領域１９に逆行することを防止する機能を有する部材である。
【００３３】
遊技球発射領域１９とは、内レール４０と外レール２６ａにより画定される領域であって、発射ユニット４５から発射される遊技球２３が流下遊技を実現する遊技領域１６へ達するまでの遊技球２３の通路となる領域である。
【００３４】
遊技領域１６に発射された遊技球２３が遊技球発射領域１９に逆行してしまうと、発射ユニット４５から順次発射される後続の遊技球２３と遊技球発射領域１９内で衝突して、遊技球発射領域１９内で球詰まりが発生する。球戻り抑止部材５１は、遊技球発射領域１９内での遊技球２３同士による球詰まりの不具合を防止するために、遊技球発射領域１９と遊技領域１６とを画定する位置に配置されている。実施形態１において遊技球２３の発射装置となる発射ユニット４５は、遊技機２の左側下部に配置されている。
【００３５】
図４及び図５は、本実施形態１に係る球戻り抑止部材５１の構成を示す図であり、図４（ａ）は球戻り抑止部材５１の上面図、図４（ｂ）は球戻り抑止部材５１の正面図である。図５は、球戻り抑止部材５１の分解斜視図である。図示したように、本実施形態１に係る球戻り抑止部材５１は、硬質プラスチック樹脂を成型加工して形成した球戻り抑止部材５１ａと、同じく硬質プラスチック樹脂を成型加工して形成した球戻り抑止部材５１ｂと、ステンレス鋼等の丸棒を切削加工して形成したシャフト５７と、比重の高い金属を成型加工して形成した錘５８と、から構成されている。
【００３６】
球戻り抑止部材５１ａは、板状の可動片５１１ａと、この可動片５１１ａの下部に形成されたシャフト５７を支持するためのシャフト支持部５１４ａと、錘５８を支持するための錘支持部５１６ａと、を備えている。可動片５１１ａの上部には、図３において左上の開放端５１０ａから右下に向かう斜辺５１２ａが形成されている。シャフト支持部５１４ａには、シャフト５７が圧入されるシャフト圧入孔５１５ａが貫通形成されている。錘支持部５１６ａには、錘５８が圧入される錘圧入孔５１７ａが貫通形成されている。
【００３７】
球戻り抑止部材５１ｂは、板状の可動片５１１ｂと、この可動片５１１ｂの下部に形成されたシャフト５７を支持するためのシャフト支持部５１４ｂと、錘５８を支持するための錘支持部５１６ｂと、を備えている。更に、可動片５１１ｂの上部に図３において右上の開放端５１０ｂから左下に向けて形成された斜辺５１２ｂの端部から略垂直に立設された立設片５１８が形成されており、立設片５１８の端部から可動片５１１ｂと反対側に立設片５１８から略垂直に立設された立設片５１９が形成されている。つまり、立設片５１９は、可動片５１１ａ及び５１１ｂと、可動片５１１ａ及び５１１ｂの厚み方向に対して平行に設けられている。
【００３８】
立設片５１９の上部には、図３において右上から左下に向かう斜辺５１９ａが形成されている。シャフト支持部５１４ｂには、シャフト５７が圧入されるシャフト圧入孔５１５ｂが貫通形成されている。錘支持部５１６ｂには、錘５８が圧入される錘圧入孔５１７ｂが貫通形成されている。
【００３９】
本実施形態１に係る球戻り抑止部材５１は、球戻り抑止部材５１ａの端面５１ａ１と球戻り抑止部材５１ｂの端面５１ｂ１が当接され、球戻り抑止部材５１ａに貫通形成されたシャフト圧入孔５１５ａと球戻り抑止部材５１ｂに貫通形成されたシャフト圧入孔５１５ｂにシャフト５７が共軸的に圧入され、かつ、球戻り抑止部材５１ａに貫通形成された錘圧入孔５１７ａと球戻り抑止部材５１ｂに貫通形成された錘圧入孔５１７ｂに錘５８が共軸的に圧入されて構成される。錘５８は、取付部となるシャフト５７に対して球戻り抑止部材５１ａと球戻り抑止部材５１ｂとを一体的に回動可能に固定する固定部材である。
【００４０】
そして上記のように構成された球戻り抑止部材５１は、球戻り抑止部材５１ａの斜辺５１２ａと球戻り抑止部材５１ｂの斜辺５１２ｂにより谷部５３が形成される。谷部５３は、後に詳述する糸吊り遊技球２３の遊技球２３を吊り下げ保持する糸状体（吊り糸）１００（図７参照）を谷部５３の底部５３ａに導く機能を有する部位である。よって、本実施形態１に係る球戻り抑止部材５１として、球戻り抑止部材５１ａの直線状の斜辺５１２ａと球戻り抑止部材５１ｂの直線状の斜辺５１２ｂにより谷部５３を形成する構成を例示したが、斜辺５１２ａ及び斜辺５１２ｂは必ずしも直線状である必要はなく、可動片５１１の開放端５１０から下方に向けて可動片５１１ａと可動片５１１ｂの間の間隙が漸次狭くなるように谷部５３が形成されて、遊技球２３を吊下した吊り糸１００が吊下した遊技球２３の自重により谷部５３の底部５３ａに導かれる形状であれば良い。また、谷部５３の底部５３ａも、図示したように可動片５１１の略中央部に設定する必要はなく、後述する規制部５５との連係が良好な位置に任意に設定することができる。このように間隙（谷部５３）を構成することにより、吊り糸１００の前後方向の可動領域を狭めることができる。
【００４１】
図４に示されるように、本実施形態１に係る球戻り抑止部材５１は、球戻り抑止部材５１ａの可動片５１１ａが球戻り抑止部材５１ｂの可動片５１１ｂと対向する対向端面５１３ａと、この対向端面５１３ａと対向する可動片５１１ｂの対向端面５１３ｂとの間に幅狭の溝５５ａが形成されている。また、可動片５１１ａが可動片５１１ｂの立設片５１９と対向する対向面５１１ａ１と、立設片５１９の対向面５１９ｂとの間にも幅狭の溝５５ｂが形成されている。そして、本実施形態１においてはこれら溝５５ａと溝５５ｂは略垂直に屈曲しながら連通しており、これら溝５５ａと溝５５ｂにより後述する糸状体（吊り糸）１００（図７参照）の動作を規制する規制部５５が形成されている。
【００４２】
図６は、本実施形態１に係る球戻り抑止部材５１の動作を模式的に示す図である。球戻り抑止部材５１は、可動片５１１が回動可能なように、シャフト５７が図示しない軸受部材に取付けられて、遊技球発射領域１９と遊技領域１６とを画定する位置に配置される。球戻り抑止部材５１は、常時は図６に示されるように錘５８の重力により可動片５１１が略鉛直方向に直立するような姿勢で保持されている。
【００４３】
そして、遊技球発射領域１９から遊技球２３が遊技領域１６に進入するべく可動片５１１に衝突すると、シャフト５７を支軸に可動片５１１が矢印Ｃ方向に破線で示す位置に回動して遊技球２３の遊技領域１６への進入が許容される。一方、遊技領域１６内に進入した遊技球２３が遊技領域１６側から可動片５１１に衝突すると、球戻り抑止部材５１の錘支持部５１６ａ及び錘支持部５１６ｂ（図３、図４参照）が保持部材８０に設けられた動作規制部８１に当接して、矢印Ｃと逆方向への可動片５１１の回動動作が規制され遊技球発射領域１９への遊技球２３の逆行が防止される。
【００４４】
図７は、不正器具である糸吊り遊技球が遊技領域１６に進入した場合の本実施形態１に係る球戻り抑止部材５１の作用を説明するための図である。遊技領域１６に進入した遊技球２３を吊下した吊り糸１００は、まず、図７（ａ）に示されるように開放端５１０側から球戻り抑止部材５１の谷部５３にて斜辺５１２ａ等に当接する。
【００４５】
続いて、図７（ｂ）に示されるように遊技球２３の自重により吊り糸１００に作用する張力によって谷部５３の底部５３ａへ導かれる。そして、図７（ｃ）に示されるように吊り糸１００は溝５５ａ及び溝５５ｂからなる規制部５５へと導かれる。このとき、規制部５５の溝５５ａ及び溝５５ｂを形成する周囲の部材（対向端面５１３ａ、対向端面５１３ｂ、対向面５１１ａ１、対向面５１９ｂ等の角部）と吊り糸１００に生じる摩擦力により吊り糸１００の動作が規制される。
【００４６】
なお、本実施形態１において吊り糸１００の「動作を規制する」とは、規制部５５の作用により吊り糸１００の自由な動作、すなわち不正行為者の吊り糸１００の操作による当該不正行為者の意図する動作を規制することを意味する。本実施形態１に係る球戻り抑止部材５１によれば不正行為者の意図する動作を規制することができるので、いわゆる糸吊りゴトと呼ばれる不正行為を有効に防止することができる。
【００４７】
規制部５５で動作が規制された吊り糸１００には、吊下された遊技球２３の自重による張力に加えて、順次遊技領域１６に発射される正規の遊技球２３により球戻り抑止部材５１が繰り返し回動動作することによる張力が加わるので、規制部５５における摩擦力が増大し、吊り糸１００が規制部５５にて切断されることも十分に期待できる。
【００４８】
以上説明したように本実施形態１に係る球戻り抑止部材５１によれば、吊り糸１００を連結した遊技球２３による不正行為を効果的に防止することができる。なお、上記実施形態１に係る球戻り抑止部材５１は球戻り抑止部材５１ａと球戻り抑止部材５１ｂの２つの部品で球戻り抑止部材５１を構成する例を示したが１つの部品で球戻り抑止部材５１を構成しても良い。
【００４９】
［実施形態２］
次に、図８ないし図１０を参照して本実施形態２に係る球戻り抑止部材６１について説明する。尚、実施形態１と同様の構成については、実施形態１と同様の符号を付し、説明を省略する。
【００５０】
図８は、本実施形態２に係る球戻り抑止部材６１が配置される位置を説明するための部分拡大斜視図である。図８に示されるように、内レール４０と外レール２６ａの間に画定される遊技球発射領域１９と遊技領域１６とを画定する位置に球戻り抑止部材６１が配置されている。本実施形態２に係る球戻り抑止部材６１は板バネ材を型抜きして形成されており、弾性的に変形可能な可動片６２と、この可動片６２の開放端６２０に形成された谷部６３と、この谷部６３の底部６３ａから連続して細溝状に形成された規制部６５と、を備えている。球戻り抑止部材６１は、内レール４０の先端部に取付部６１ａをスポット溶接等の手段により固着して取付けられている。
【００５１】
図９は本実施形態２に係る球戻り抑止部材６１の構成を示す図であり、図９（ａ）は球戻り抑止部材６１の正面図、図９（ｂ）は図９（ａ）のＡ−Ａ線断面図である。図９（ａ）に示されるように、球戻り抑止部材６１は、弾性的に変形可能な可動片６２と、この可動片６２の上部の前側開放端６２０ａと後側開放端６２０ｂから下方に向けて傾斜形成された斜辺６１１，６１２を備えている。そして、これら斜辺６１１，６１２によって下方に向けて漸次幅が狭くなるような谷部６３が形成されている。
【００５２】
谷部６３の底部６３ａから連続して下方に向かう細溝状の規制部６５が形成されている。規制部６５には、対向する前側可動片６２ａと後側可動片６２ｂとに刃６５ａ，６５ａが形成されており、この対向する刃６５ａ，６５ａによって本実施形態２に係る球戻り抑止部材６１における吊り糸１００を切断する切断部が形成されている。球戻り抑止部材６１の下部は、球戻り抑止部材６１を内レール４０の先端部に固着して取付けるための取付部６１ａとなっている。
【００５３】
図９（ｂ）は図９（ａ）のＡ−Ａ線断面図であり、吊り糸１００に吊下された遊技球２３が遊技領域１６内に進入し、吊り糸１００が球戻り抑止部材６１の規制部６５に導かれた状態とともに示している。図９（ｂ）に示されるように、球戻り抑止部材６１の規制部６５に形成された刃６５ａ，６５ａによる切断部に導かれた吊り糸１００は、遊技球２３の自重により吊り糸１００に張力が作用するため、この刃６５ａ，６５ａにより形成された切断部にて切断される。
【００５４】
図１０は、本実施形態２に係る球戻り抑止部材６１の作用を説明するための図である。遊技球２３に連結された吊り糸１００は、遊技球発射領域１９から遊技領域１６に進入すると、まず、球戻り抑止部材６１の開放端６２０から谷部６３へ進入し谷部６３で斜辺６１１，６１２のいずれかに当接する（Ｄ１）。続いて、遊技球２３の自重により吊り糸１００に作用する張力によって谷部６３の底部６３ａへ導かれる（Ｄ２）。そして、吊り糸１００は谷部６３の底部６３ａから連続して下方に形成された規制部６５に導かれ、規制部６５の刃６５ａ，６５ａにより形成された切断部に至る（Ｄ３）。切断部に至った吊り糸１００は、遊技球２３の自重により作用する張力によって切断部で切断される（Ｄ４）。
【００５５】
なお、本実施形態２に係る球戻り抑止部材６１は図８及び図１０に示されるように可動片６２が遊技領域１６から遊技球発射領域１９に向かう方向に湾曲成型されており、常時は可動片６２の開放端６２０が略鉛直方向又は若干遊技領域１６側に傾けて配置されている。これにより、遊技球２３の遊技球発射領域１９側から遊技領域側１６への遊技球２３の進入に際しては可動片６２の上端側が外レール２６ａから離間する方向に変位して遊技球２３の遊技領域１６への進入を許容する。一方、遊技領域１６側から遊技球発射領域１９側へ遊技球２３が逆行しようとすると、可動片６２の上端側が外レール２６ａに近接する方向に変位して進路を塞ぎ遊技球２３の逆行が防止される。
【００５６】
以上説明したように本実施形態２に係る球戻り抑止部材６１によれば、いわゆる糸吊りゴトと呼ばれる不正行為を有効に防止することができる。
【００５７】
［実施形態３］
図１１は実施形態３に係る球戻り抑止部材７１の構造を示す図である。尚、実施形態１、２と同様の構成については、実施形態１、２と同様の符号を付し、説明を省略する。
【００５８】
図１１（ａ）は本実施形態３に係る球戻り抑止部材７１の正面図、図１１（ｂ）は図１１（ａ）のＢ−Ｂ線断面図を吊り糸１００に吊下された遊技球２３が遊技領域１６内に進入し、吊り糸１００が球戻り抑止部材７１の規制部７５に導かれた状態とともに示している。
【００５９】
この実施形態３は、上記実施形態２における球戻り抑止部材６１の規制部６５の変形例を示すものである。本実施形態３に係る球戻り抑止部材７１は上記実施形態２と同様に板バネ材を型抜きして形成されており、弾性的に変形可能な可動片７２と、この可動片７２の上部の前側開放端７２０ａと後側開放端７２０ｂから下方に向けて傾斜形成された斜辺７１１，７１２を備えている。そして、これら斜辺７１１，７１２によって下方に向けて漸次幅が狭くなるような谷部７３が形成されている。更に、この谷部７３の底部７３ａから連続して細溝状に形成された規制部７５と、を備えている。
【００６０】
本実施形態３に係る球戻り抑止部材７１は、可動片７２の上部の開放端７２０から下方に向けて傾斜形成された斜辺７１１，７１２を備えており、これら斜辺７１１，７１２によって下方に向けて漸次幅が狭くなるような谷部７３が形成されている。谷部７３の底部７３ａから連続して、対向する前側可動片７２ａと後側可動片７２ｂとの間に下方に向かう細溝状の規制部７５が形成されている。更に、規制部７５の底部には刃７５ａが形成されており、吊り糸１００を切断する切断部を形成している。球戻り抑止部材７１の下部は、球戻り抑止部材７１を内レール４０の先端部に固着して取付けるための取付部７１ａとなっている。
【００６１】
図１１（ｂ）に示されるように、本実施形態３に係る球戻り抑止部材７１を経て吊り糸１００に連結された遊技球２３が遊技球発射領域１９から遊技領域１６へ進入すると、遊技球２３が連結された吊り糸１００は球戻り抑止部材７１の開放端７２０から進入し谷部７３を形成する斜辺７１１，７１２のいずれかに当接して谷部７３の底部７３ａに導かれる。そして、吊り糸１００は、この底部７３ａから下方に連続して形成された規制部７５により動作を規制されつつ切断部の刃７５ａに到達し、切断される。
【００６２】
本実施形態３に係る球戻り抑止部材７１によれば、いわゆる糸吊りゴトと呼ばれる不正行為を有効に抑止することができる。
【００６３】
以上、本発明の好ましい実施形態を説明したが、本発明はこれらに限定されるものではなく、その要旨の範囲内で様々な変形や変更が可能である。
【符号の説明】
【００６４】
２：パチンコ機（遊技機）、３：遊技機枠、４：外枠、５：遊技盤ユニット、６：遊技盤、６ａ：遊技盤面、７：センター役物、７ａ：演出表示装置、７ｂ：表示部、７ｃ：表示図柄、７ｄ：表示開口部、９：前枠、１０：ガラス、１２：ガラス枠、１４：球皿（貯留皿）、１４ａ：上球皿、１４ｂ：下球皿、１４ｃ：球抜き部材、１５：発射装置ハンドル、１６：遊技領域、１７：第１図柄（特別図柄）表示装置、１９：遊技球発射領域、２２：ヒンジ、２３：遊技球、２５：風車、２６：レール飾り、２６ａ：外レール、２７：遊技釘、２８：普通入賞口、２９：始動入賞口、３０：アウト口、３１：大入賞口、３２：装飾部材、３３：ゲート、３４：主制御基板（電子回路基板）、３５：主制御基板ケース（基板ケース）、３６：演出制御基板ケース、３７：払出制御基板ケース、３８：電源基板ケース、３９：外部出力端子板、４０：内レール、４５：発射ユニット（発射装置）、５０：球戻り抑止ユニット、５１：球戻り抑止部材、５１ａ：球戻り抑止部材、５１ａ１：端面、５１ｂ：球戻り抑止部材、５１ｂ１：端面、５３：谷部、５３ａ：底部、５５：規制部、５５ａ：溝、５５ｂ：溝、５７：シャフト、５８：錘、６１：球戻り抑止部材、６１ａ：取付部、６２：可動片、６２ａ：前側可動片、６２ｂ：後側可動片、６３：谷部、６３ａ：底部、６５：溝（規制部）、６５ａ：刃（切断部）、７１：球戻り抑止部材、７１ａ：取付部、７２：可動片、７２ａ：前側可動片、７２ｂ：後側可動片、７３：谷部、７３ａ：底部、７５：溝（規制部）、７５ａ：刃（切断部）、８０：保持部材、８１：動作規制部、１００：吊り糸（糸状体）、５１０：開放端、５１０ａ：開放端、５１０ｂ：開放端、５１１：可動片、５１１ａ：可動片、５１１ａ１：対向面、５１１ｂ：可動片、５１２ａ：斜辺、５１２ｂ：斜辺、５１３ａ：対向端面、５１３ｂ：対向端面、５１４ａ：シャフト支持部、５１４ｂ：シャフト支持部、５１５ａ：シャフト圧入孔、５１５ｂ：シャフト圧入孔、５１６ａ：錘支持部、５１６ｂ：錘支持部、５１７ａ：錘圧入孔、５１７ｂ：錘圧入孔、５１８：立設片、５１９：立設片、５１９ａ：斜辺、５１９ｂ：対向面、６１１，６１２：斜辺、６２０：開放端、６２０ａ：前側開放端、６２０ｂ：後側開放端、７１１，７１２：斜辺、７２０：開放端、７２０ａ：前側開放端、７２０ｂ：後側開放端。
【図１】
0005721215.tif 000002
【図２】
0005721215.tif 000003
【図３】
0005721215.tif 000004
【図４】
0005721215.tif 000005
【図５】
0005721215.tif 000006
【図６】
0005721215.tif 000007
【図７】
0005721215.tif 000008
【図８】
0005721215.tif 000009
【図９】
0005721215.tif 000010
【図１０】
0005721215.tif 000011
【図１１】
0005721215.tif 000012